(57)【要約】【課題】車両に配索されるワイヤハーネスを出荷時には短い配索経路に適用できるよう余長部を一纏めとした形態にすることができ、長い配索経路に配索することとなる場合には、余長部を一纏めとした状態を解消することができる電線束間連結具およびこれを備えたワイヤハーネスを提供すること。【解決手段】電線束Ｗに被されＵ形に曲折されたコルゲートチューブＴのＵ形曲折部に連続する両側の直線部分に重ね合わされる矩形状パネル部１１と、矩形状パネル部１１のＵ形曲折部Ｐ寄りの第１の端縁部１２に両側の直線部分Ｑ１，Ｑ２を保持するよう設けられた２つの第１の保持手段１４と、矩形状パネル部１１，１１ＡのＵ形曲折部Ｐと反対側寄りの第２の端縁部１３に両側の直線部分Ｑ１，Ｑ２を保持するよう設けられた２つの第２の保持手段１５と、矩形状パネル部１１の幅方向中央部に設けられたミシン目状の分断用スリット１６と、を備えた。【選択図】図１
2017158231.tif 000002
【特許請求の範囲】
【請求項１】
電線束に被されＵ形に曲折されたコルゲートチューブのＵ形曲折部に連続する両側の直線部分に重ね合わされる矩形状パネル部と、
前記矩形状パネル部の前記Ｕ形曲折部寄りの第１の端縁部に前記両側の直線部分を保持するよう設けられた２つの第１の保持手段と、
前記矩形状パネル部の前記Ｕ形曲折部と反対側寄りの第２の端縁部に前記両側の直線部分を保持するよう設けられた２つの第２の保持手段と、
前記矩形状パネル部の幅方向中央部に設けられたミシン目状の分断用スリットと、を備えたことを特徴とする電線束間連結具。
【請求項２】
前記第１の保持手段および前記第２の保持手段は、前記コルゲートチューブと重ねられ粘着テープにより固定巻きされるテープ巻付板部であることを特徴とする請求項１に記載の電線束間連結具。
【請求項３】
前記第１の保持手段および前記第２の保持手段は、前記コルゲートチューブに外嵌するＣ型クランプ部であることを特徴とする請求項１に記載の電線束間連結具。
【請求項４】
前記第１の保持手段および前記第２の保持手段は、前記コルゲートチューブの蛇腹状の谷部に突出する係止凸部を有し、前記コルゲートチューブに外嵌するＣ型クランプ部であることを特徴とする請求項１に記載の電線束間連結具。
【請求項５】
前記ミシン目状の分断用スリットは、前記矩形状パネル部の前記第１の端縁部から前記第２の端縁部にわたる全長に設けられていることを特徴とする請求項１ないし４のいずれか１つの請求項に記載の電線束間連結具。
【請求項６】
前記ミシン目状の分断用スリットは、前記矩形状パネル部の前記第１の端縁部に近い部分を除いて前記第２の端縁部まで設けられていることを特徴とする請求項１ないし４のいずれか１つの請求項に記載の電線束間連結具。
【請求項７】
前記ミシン目状の分断用スリットは、前記矩形状パネル部の前記第２の端縁部に近い部分を除いて前記第１の端縁部まで設けられていることを特徴とする請求項１ないし４のいずれか１つの請求項に記載の電線束間連結具。
【請求項８】
前記電線束と、前記電線束に被されＵ形に曲折されたコルゲートチューブと、前記請求項１ないし７のいずれか１つの請求項に記載の電線束間連結具と、を備え、前記コルゲートチューブの中途の余長部がＵ形に曲折されＵ形曲折部に連続する両側の直線部分が前記電線束間連結具で保持されていることを特徴とするワイヤハーネス。
【発明の詳細な説明】
【技術分野】
【０００１】
本発明は、車両に配索されるワイヤハーネスが長い配索経路と短い配索経路とに兼用されるように余長部を一纏め状態としまたは一纏め状態を解消する電線束間連結具およびこれを用いたワイヤハーネスに関する。
【０００２】
従来、例えば、同一車種でも、オプション品としてのフォグランプを車両に装備して購入する場合と、購入後にユーザーがフォグランプを購入して装備する場合とがあって、フォグランプへの給電線としてのワイヤハーネスは、フォグランプが無い場合には短い配索経路となり、フォグランプを装着する場合には長い配索経路となる。
【０００３】
上記のような条件下で用意されるワイヤハーネスは、長いものと短いものとの２本ではなく、長い配索経路と短い配索経路のいずれにも良好な長さで適用可能な１本のワイヤハーネスが用意されている。すなわち、１つのワイヤハーネスの長さを長い配索経路に適用するように設定して、出荷時には短い配索経路に適用するよう余長部を長さと関係しないように纏めておき、フォグランプを購入し配索経路が長くなる場合には、余長部の一纏めにした状態を解消することが行われている（図６参照）。
【０００４】
図６に示すように、ワイヤハーネス３０は、幹線３１と、幹線３１に被されたコルゲートチューブ３２，３３と、幹線３１の両端に設けられたコネクタ３４，３５と、幹線３１の中途に取り付けられ、車体パネルの取付孔に係止されるクリップバンド本体３６と、幹線３１から分岐する支線３７と、支線３７に被されたコルゲートチューブ３８と、支線３７の末端に設けられたコネクタ３９と、を有する。
【０００５】
フォグランプを装備していない車種にあっては、コネクタ３４とコネクタ３５との配索経路が短く、幹線３１に余長部が生ずるので、所要中程でＵターン部４０を作り、オプションテープＴを巻いて、余長を吸収している。車両購入後、ユーザーがオプション品のフォグランプを購入して装着する場合には、コネクタ３４とコネクタ３５との配索経路が長くなるので、ユーザーがＵターン部４０を解消できるように、Ｕターン部４０には、容易に引き千切れるオプションテープを巻き付けている。
【０００６】
特許文献１に開示されたワイヤハーネスは、２つの電線束近接部を重ならない状態に距離を保って連結する連結手段が提案されている。このワイヤハーネスは、連結手段として、外側筒部と平板状の固定部とを有し、固定部をテープ巻きにより固定される第一保持具と、外側筒部にスライド可能に嵌合される内側筒部と舌片とを有し、舌片がテープ巻きにより固定される第二保持具と、を備えている。このワイヤハーネスは、第一保持具と第二保持具によって、環状の余長部が形成されている。外側筒部と内側筒部とを相対スライドしてループ径を変えることにより、大きくなる余長を吸収し、または余長部を小さくしている。なお、特許文献１に開示されたワイヤハーネスは、本願発明とは関連しない。
【先行技術文献】
【特許文献】
【０００７】
【特許文献１】特開平１１−１１２３１号公報
【発明の概要】
【発明が解決しようとする課題】
【０００８】
しかしながら、図５に示すワイヤハーネス３０は、Ｕターン部４０をそのまま残しワイヤハーネス３０を短い配索経路で配索する場合において、予期せぬテンションがＵターン部４０を束ねているオプションテープＴに作用すると、オプションテープＴが切断してしまう恐れがあるという問題があった。
【０００９】
本発明は、上述した問題に鑑みてなされたもので、車両に配索されるワイヤハーネスを出荷時には短い配索経路に適用できるよう余長部を一纏めとした形態にすることができ、長い配索経路に配索することとなる場合には、余長部を一纏めとした状態を解消することができる電線束間連結具およびこれを備えたワイヤハーネスを提供することを目的としている。
【課題を解決するための手段】
【００１０】
本発明に係る電線束間連結具は、上記課題を解決するため、電線束に被されＵ形に曲折されたコルゲートチューブのＵ形曲折部に連続する両側の直線部分に重ね合わされる矩形状パネル部と、前記矩形状パネル部の前記Ｕ形曲折部寄りの第１の端縁部に前記両側の直線部分を保持するよう設けられた２つの第１の保持手段と、前記矩形状パネル部の前記Ｕ形曲折部と反対側寄りの第２の端縁部に前記両側の直線部分を保持するよう設けられた２つの第２の保持手段と、前記矩形状パネル部の幅方向中央部に設けられたミシン目状の分断用スリットと、を備えた構成である。
【００１１】
この構成によれば、ワイヤハーネスの長さを長い配索経路に適用するように設定し、出荷時には、短い配索経路に適用できるよう、余長部を利用して、Ｕ形曲折部およびＵ形曲折部に連続する両側の直線部分を設け、両側の直線部分に取り付けることにより、余長部を配索長さから除外した一纏めにした状態になって短い配索経路に適用することができ、また、長い配索経路に適用する場合には、両側の直線部分が分かれるように電線束間連結具を半分に割ることにより余長部の一纏めにした状態を解消することができる。
【００１２】
また、本発明の電線束間連結具は、前記第１の保持手段および前記第２の保持手段が、前記コルゲートチューブと重ねられ粘着テープにより固定巻きされるテープ巻付板部とする態様に構成できる。
【００１３】
この構成によれば、矩形状パネル部とテープ巻付板部とを合わせた形態が、平面状であるので、保管や搬送において、省スペースになり、また、従来の容易に引き千切れるオプションテープを用いることに替えて、容易には引き千切れない粘着テープを、電線束またはコルゲートチューブとテープ巻付板部との重なり部に対して複数回巻き付けることにより余長部の一纏めにした状態に高い締め付け力で固定することができ、また、長い配索経路に適用する必要があるときには、粘着テープを切らずに矩形状パネル部を半割りすることで誰でもが容易に適用できる。
【００１４】
また、本発明の電線束間連結具は、前記第１の保持手段および前記第２の保持手段が、前記コルゲートチューブに外嵌するＣ型クランプ部である態様に構成できる。
【００１５】
この構成によれば、電線束またはコルゲートチューブのＵ形曲折部に連続する各側の直線部分の矩形状パネル部を挟む２位置において、従来のオプションテープや粘着テープを用いないで、それぞれＣ型クランプ部で保持することで、極めて迅速に余長部の一纏めにした状態にすることができる。また、長い配索経路に適用する必要があり余長を解消した状態にするには、Ｃ型クランプ部を外さないで、矩形状パネル部を半割りすることで誰でもが容易に適用できる。
【００１６】
また、本発明の電線束間連結具は、前記第１の保持手段および前記第２の保持手段が、前記コルゲートチューブの蛇腹状の谷部に突出する係止凸部を有し、前記コルゲートチューブに外嵌するＣ型クランプ部である態様に構成できる。
【００１７】
この構成によれば、第１の保持手段および第２の保持手段がコルゲートチューブに対して位置ずれしない。
【００１８】
また、本発明の電線束間連結具は、前記ミシン目状の分断用スリットは、前記矩形状パネル部の前記第１の端縁部から前記第２の端縁部にわたる全長に設けられている態様に構成できる。
【００１９】
この構成によれば、矩形状パネル部を二つ折りするように２分割することができることに加え、矩形状パネル部を第１の端縁部側または第２の端縁部側の分断用スリットの際より引き裂くように２分割することができる。
【００２０】
また、本発明の電線束間連結具は、前記ミシン目状の分断用スリットが、前記矩形状パネル部の前記第１の端縁部に近い部分を除いて前記第２の端縁部まで設けられている態様に構成できる。
【００２１】
この構成によれば、矩形状パネル部を二つ折りするように２分割することができることに加え、矩形状パネル部を第２の端縁部の分断用スリットの際より引き裂くように２分割することができる。
【００２２】
また、本発明の電線束間連結具は、前記ミシン目状の分断用スリットが、前記矩形状パネル部の前記第２の端縁部に近い部分を除いて前記第１の端縁部まで設けられている態様に構成できる。
【００２３】
この構成によれば、矩形状パネル部を二つ折りするように２分割することができることに加え、矩形状パネル部を第１の端縁部の分断用スリットの際より引き裂くように２分割することができる。
【００２４】
また、本発明のワイヤハーネスによれば、前記電線束と、前記電線束に被されＵ形に曲折されたコルゲートチューブと、上記の電線束間連結具と、を備え、前記コルゲートチューブの中途の余長部がＵ形に曲折されＵ形曲折部に連続する両側の直線部分が前記電線束間連結具で保持されている。
【発明の効果】
【００２５】
本発明によれば、車両に配索されるワイヤハーネスを出荷時には短い配索経路に適用できるよう余長部を一纏めとした形態にすることができ、長い配索経路に配索することとなる場合には、余長部を一纏めとした状態を解消することができる電線束間連結具およびこれを備えたワイヤハーネスを提供することができる。
【図面の簡単な説明】
【００２６】
【図１】本発明の第１の実施形態に係る電線束間連結具およびワイヤハーネスに係り、（ａ）図はワイヤハーネスの要部正面図、（ｂ）図は電線束間連結具の正面図である。
【図２】本発明の第１の実施形態に係る電線束間連結具を取付後に分割して長い配索経路に適用するワイヤハーネス平面図である。
【図３】本発明の第１の実施形態の変形例に係り、（ａ）図は一変形例の電線束間連結具の正面図、（ｂ）図は他の変形例の電線束間連結具の正面図、（ｃ）図はさらに他の変形例の電線束間連結具の正面図である。
【図４】本発明の第２の実施形態に係る電線束間連結具およびワイヤハーネスに係り、（ａ）図はワイヤハーネスの要部正面図、（ｂ）図は電線束間連結具の正面図、（ｃ）図は（ｂ）図におけるＡ−Ａ矢視図である。
【図５】本発明の第２の実施形態に係る電線束間連結具の斜視図である。
【図６】従来例の長い配索経路と短い配索経路とに兼用して車両に配索されるワイヤハーネスに係り、余長部を纏めて短い配索経路に適用される形態を示す図である。
【発明を実施するための形態】
【００２７】
以下、本発明の実施形態に係る電線束間連結具およびワイヤハーネスについて図面を参照して説明する。
【００２８】
［第１の実施の形態］
まず、構成を説明する。図１（ａ），（ｂ）、図２は、第１の実施の形態に係るワイヤハーネスおよび電線束間連結具を示す。図１（ａ）に示すように、ワイヤハーネス１は、電線束Ｗと、電線束Ｗに被されＵ形に曲折されたコルゲートチューブＴと、電線束間連結具１０と、を備えている。ワイヤハーネス１は、コルゲートチューブＴの中途の余長部が、Ｕ形曲折部Ｐと、Ｕ形曲折部Ｐに連続する両側の直線部分Ｑ１，Ｑ２とに対応して曲折されており、両側の直線部分Ｑ１，Ｑ２が電線束間連結具１０で保持され、短い配索経路に適用できるようになっている。
【００２９】
図１（ｂ）に示すように、電線束間連結具１０は、例えばポリプロピレンなどの樹脂からなる板状成形体であり、コルゲートチューブＴのＵ形曲折部Ｐに連続する両側の直線部分Ｑ１，Ｑ２に重ね合わされる矩形状パネル部１１と、矩形状パネル部１１のＵ形曲折部Ｐ寄りの第１の端縁部１２に両側の直線部分Ｑ１，Ｑ２を保持するよう設けられた２つの第１の保持手段１４と、矩形状パネル部１１のＵ形曲折部Ｐと反対側寄りの第２の端縁部１３に両側の直線部分Ｑ１，Ｑ２を保持するよう設けられた２つの第２の保持手段１５と、矩形状パネル部１１の幅方向中央部に設けられ矩形状パネル部１１を半部１１ａ，１１ｂに分断するミシン目状の分断用スリット１６と、を備えている。
【００３０】
この実施の形態では、第１の保持手段１４および第２の保持手段１５は、電線束ＷまたはコルゲートチューブＴと重ねられ粘着テープ１７により固定巻きされるテープ巻付板部である。なお、第１の保持手段１４および第２の保持手段１５の張出端両隅にテープ巻き脱落防止用の突起１４ａ，１５ａを有している
【００３１】
この実施の形態では、ミシン目状の分断用スリット１６は、矩形状パネル部１１の第１の端縁部１２から第２の端縁部１３にわたる全長に設けられている。電線束間連結具１０は、曲げ荷重を加えると分断用スリット１６から容易に割れるようになっている。
【００３２】
次に、作用効果を説明する。図１（ａ）に示すように、ワイヤハーネス１は、長さを長い配索経路に適用するように設定され、出荷時には短い配索経路に適用するよう長い配索経路との経路長の差分として生じる余長部が、Ｕ形曲折部ＰおよびＵ形曲折部Ｐに連続する両側の直線部分Ｑ１，Ｑ２として配索長さから除外される配索経路の側方に取り出される。電線束間連結具１０は、コルゲートチューブＴのＵ形曲折部Ｐに連続する両側の直線部分Ｑ１，Ｑ２に重ね合わされ、第１，第２の保持手段１４，１５がそれぞれ粘着テープ１７により固定巻きされることで、余長部を一纏めにした形態とすることができる。そして、長い配索経路に適用する場合には、図２に示すように、電線束間連結具１０をミシン目状の分断用スリット１６より半分に割ることにより余長部を一纏めにした状態を解消しうるから、ワイヤハーネス１は、長い経路への配索ができる。
【００３３】
電線束間連結具１０によれば、ワイヤハーネス１を短い配索経路に配索する際に、ワイヤハーネス１に予期せぬテンションが加わり、該テンションが電線束間連結具１０の両側において電線束間連結具１０を引き裂くように作用しても、引裂力が左程大きく生じなければ電線束間連結具１０が分断用スリット１６より半分に割れてしまう恐れがない。電線束間連結具１０を用いることは、従来のオプションテープで余長部を束ねる場合に小さな引裂力でオプションテープが引き裂けてしまうことに比べて、ワイヤハーネス１を短い配索経路に対する配索がしやすいことに繋がり、余長部の束ねが解消してぶらぶらした配索となることを回避できることに繋がる。
【００３４】
また、電線束間連結具１０によれば、矩形状パネル部１１と、第１の保持手段１４および第２の保持手段１５であるテープ巻付板部とを合わせた形態が、平面状であるので、保管や搬送において、省スペースになり、また、従来の容易に引き千切れるオプションテープを用いることに替えて、容易には引き千切れない粘着テープを、電線束ＷまたはコルゲートチューブＴとテープ巻付板部との重なり部に対して複数回巻き付けることにより余長部の一纏めにした状態に高い締め付け力で固定することができ、また、長い配索経路に適用する必要があるときには、粘着テープを切らずに矩形状パネル部１１を半割りすることで誰でもが容易に適用できる。
【００３５】
さらに、図２に示すように、電線束間連結具１０によれば、矩形状パネル部１１を二つ折りするように２分割することができることに加え、矩形状パネル部１１を第１の端縁部１２側または第２の端縁部１３側の分断用スリット１６の際より引き裂くように２分割することができ、長い配索経路に適用することができる。
【００３６】
また、電線束間連結具１０によれば、シンプルな形態であり、最小部品点数で構成され、量産性を有し、製作コストを安価に抑えることができる。
【００３７】
［第１の実施の形態に関する変形例］
図３（ａ），（ｂ），（ｃ）は、第１の実施の形態に係る電線束間連結具１０に設けられた分断用スリット１６に対する変形例を示す。図３（ａ）に示す変形例に係る電線束間連結具１０Ａは、ミシン目状の分断用スリット１６Ａが、矩形状パネル部１１の第１の端縁部１２に近い部分を除いて第２の端縁部１３まで設けられている。分断用スリット１６Ａが、このように設けられる場合には、矩形状パネル部１１を二つ折りするように２分割することができることに加え、矩形状パネル部１１を第２の端縁部１３の分断用スリット１６Ａの際より引き裂くように２分割することができる。
【００３８】
図３（ｂ）に示す変形例に係る電線束間連結具１０Ｂは、ミシン目状の分断用スリット１６Ｂが、矩形状パネル部１１の第２の端縁部１３に近い部分を除いて第１の端縁部１２まで設けられている。分断用スリット１６Ｂが、このように設けられる場合には、矩形状パネル部１１を二つ折りするように２分割することができることに加え、矩形状パネル部１１を第１の端縁部１２の分断用スリット１６Ｂの際より引き裂くように２分割することができる。
【００３９】
図３（ｃ）に示す変形例に係る電線束間連結具１０Ｃは、ミシン目状の分断用スリット１６Ｃが、矩形状パネル部１１の第１の端縁部１２に近い部分および矩形状パネル部１１の第２の端縁部１３に近い部分を除いて設けられている。分断用スリット１６Ｃが、このように設けられる場合には、矩形状パネル部１１を二つ折りするように２分割することができる。
【００４０】
上述した電線束間連結具１０，１０Ａ，１０Ｂ，１０Ｃは、のいずれを用いるかは、分断用スリット１６，１６Ａ，１６Ｂ，１６Ｃの相違であり、いずれの電線束間連結具を用いるかについては、装着位置の上方、下方、または側方に分断用スリットの分断に邪魔になる物が存在するなどの事情に応じて選択する。
【００４１】
［第２の実施の形態］
まず、構成を説明する。図４（ａ），（ｂ），（ｃ）、図５は、第２の実施の形態に係るワイヤハーネスおよび電線束間連結具を示す。図４（ａ）に示すように、ワイヤハーネス１Ａは、電線束Ｗと、電線束Ｗに被されＵ形に曲折されたコルゲートチューブＴと、電線束間連結具２０と、を備えている。ワイヤハーネス１は、コルゲートチューブＴの中途の余長部が、Ｕ形曲折部Ｐと、Ｕ形曲折部Ｐに連続する両側の直線部分Ｑ１，Ｑ２とに対応して曲折されており、両側の直線部分Ｑ１，Ｑ２が電線束間連結具２０で保持され、短い配索経路に適用できるようになっている。
【００４２】
図４（ｂ），（ｃ）、図５に示すように、電線束間連結具２０は、例えばポリプロピレンなどの樹脂からなる成形体であり、コルゲートチューブＴのＵ形曲折部Ｐに連続する両側の直線部分Ｑ１，Ｑ２に重ね合わされる矩形状パネル部２１と、矩形状パネル部２１のＵ形曲折部Ｐ寄りの第１の端縁部２２に両側の直線部分Ｑ１，Ｑ２を保持するよう設けられた２つの第１の保持手段２４と、矩形状パネル部２１のＵ形曲折部Ｐと反対側寄りの第２の端縁部２３に両側の直線部分Ｑ１，Ｑ２を保持するよう設けられた２つの第２の保持手段２５と、矩形状パネル部２１の幅方向中央部に設けられ矩形状パネル部２１を半部２１ａ，２１ｂに分断するミシン目状の分断用スリット２６と、を備えている。
【００４３】
第１の保持手段２４および第２の保持手段２５は、コルゲートチューブＴの蛇腹状の谷部に突出する係止凸部２８を有するコルゲートチューブＴに外嵌するＣ型クランプ部である。第１の保持手段２４および第２の保持手段２５は、開口部を開かれてコルゲートチューブＴに外嵌する。係止凸部２８は、コルゲートチューブＴの蛇腹状の谷部に係合し、第１の保持手段２４および第２の保持手段２５に対してコルゲートチューブＴが位置ずれ不能にしている。
【００４４】
ミシン目状の分断用スリット２６は、矩形状パネル部２１の第１の端縁部２２から第２の端縁部２３にわたる全長に設けられている。分断用スリット２６は、第１の実施の形態に係る分断用スリット１６と同一の機能を有する。なお、第１の実施の形態に関する変形例として図３に示した分断用スリットの変形例は、分断用スリット１６にも適用される。
【００４５】
次に、作用効果を説明する。ワイヤハーネス１Ａは、長さを長い配索経路に適用するように設定され、出荷時には短い配索経路に適用するよう長い配索経路との経路長の差分として生じる余長部が、Ｕ形曲折部ＰおよびＵ形曲折部Ｐに連続する両側の直線部分Ｑ１，Ｑ２として配索長さから除外される配索経路の側方に取り出される。電線束間連結具２０は、コルゲートチューブＴのＵ形曲折部Ｐに連続する両側の直線部分Ｑ１，Ｑ２に重ね合わされるとともに、第１，第２の保持手段２４，２５がそれぞれ直線部分Ｑ１，Ｑ２に外嵌することで、余長部を一纏めにした形態とすることができる。そして、長い配索経路に適用する場合には、電線束間連結具１０をミシン目状の分断用スリット２６より半分に割ることにより余長部を一纏めにした状態を解消しうるから、ワイヤハーネス１は、長い経路への配索ができる。この実施の形態では、粘着テープによる固定巻きを必要としない。その他の作用効果は、第１の実施の形態の場合と同様である。
【００４６】
本発明によれば、車両に配索されるワイヤハーネスを出荷時には短い配索経路に適用できるよう余長部を一纏めとした形態にすることができ、長い配索経路に配索することとなる場合には、余長部を一纏めとした状態を解消することができるという効果を有し、電線束間連結具およびこれを備えたワイヤハーネスを提供する全般に有用である。
【符号の説明】
【００４７】
１，１Ａ  ワイヤハーネス
１０，１０Ａ，１０Ｂ，１０Ｃ  電線束間連結具
１１  矩形状パネル部
１２  第１の端縁部
１３  第２の端縁部
１４  第１の保持手段
１５  第２の保持手段
１６，１６Ａ，１６Ｂ，１６Ｃ  分断用スリット
１７  粘着テープ
２０  電線束間連結具
２１  矩形状パネル部
２２  第１の端縁部
２３  第２の端縁部
２４  第１の保持手段
２５  第２の保持手段
２６  分断用スリット
２８  係止凸部
Ｐ  Ｕ形曲折部
Ｎ  直線部分
Ｔ  コルゲートチューブ
Ｖ  谷部
Ｗ  電線束
【図１】
2017158231.tif 000003
【図２】
2017158231.tif 000004
【図３】
2017158231.tif 000005
【図４】
2017158231.tif 000006
【図５】
2017158231.tif 000007
【図６】
2017158231.tif 000008